(57)【特許請求の範囲】
【請求項１】
ボールを打球するフェース面の少なくとも一部を含むフェース部材と、このフェース部材がカシメ接合されるフェース取付部を具えたヘッド本体部とからなるアイアン型ゴルフクラブヘッドであって、
前記フェース取付部（４）は、前記フェース部材（２）の被取付部（２Ａ）の外周面（２ａ）に接合される内周面部（４Ａ）と、この内周面部（４Ａ）からヘッド中心側へ小高さで折れ曲がり、かつフェース部材（２）の背面（２ｂ）と環状で接合される支持壁部（４Ｂ）とを含み、
前記フェース取付部（４）の内周面部（４Ａ）と支持壁部（４Ｂ）、及び前記フェース部材（２）の前記被取付部（２Ａ）の外周面（２ａ）と、前記背面（２ｂ）の前記接合される部分を含む周縁部（２ｂｅ）とは、ともに機械仕上げ加工を施すとともに、
該フェース部材（２）の背面（２ｂ）の全面を前記周縁部（２ｂｅ）を含んで機械仕上げを施し、
かつ前記フェース部材（２）は、その外周面（２ａ）が、バックフェース側の基面（２ａ１）と、そのフェース面Ｆ側のコーナ部を連続して切り欠くことにより形成された環状の凹面部（２ａ２）と、前記基面（２ａ１）と凹部面（２ａ２）とを継ぐ継ぎ面（２ａ３）とを有し、
しかもフェース取付部（４）の内周面部（４Ａ）は、前記機械仕上げ加工が施された加工面Ｐからなる仕上げ内周面部（４Ａ１）と、この仕上げ内周面部（４Ａ１）よりもフェース面側に設けられかつ塑性変形によってヘッド中心側にはみ出して前記フェース部材（２）の前記凹面部（２ａ２）を覆うことによりフェース部材２を抜け止めするカシメ部（４Ａ２）とで構成され、
さらにフェース部材２の厚さｔ方向に沿う前記カシメ部（４Ａ２）の厚さｔ１は、０．３〜２．０mm、
かつカシメ部（４Ａ２）の仕上げ内周面部（４Ａ１）からのはみ出し量であるかしめ幅Ｗ１は、０．３〜２．０mmとしたことを特徴とするアイアン型ゴルフクラブヘッド。
【請求項２】
前記ヘッド本体部は、鋳造品からなることを特徴とする請求項１記載のアイアン型ゴルフクラブヘッド。
【請求項３】
前記加工面は、ＮＣ工作機械又はＮＣ研削機により加工されてなる請求項１又は２記載のアイアン型ゴルフクラブヘッド。
【発明の詳細な説明】
【０００１】
【発明の属する技術分野】
本発明は、フェース部材とヘッド本体部との接合強度や寸法精度などを高めるのに役立つアイアン型ゴルフクラブヘッドに関する。
【０００２】
【従来の技術及び発明が解決しようとする課題】
近年、アベレージゴルファにも打ち易いアイアン型ゴルフクラブを提供するために、ヘッドの重心を深くかつ低くしたり、またヘッドの重心回りの慣性モーメントを大きくすること等の開発が種々なされている。図１５（Ａ）にはその一例を示し、ヘッドａは、例えばフェース部材ｂと、このフェース部材ｂよりも比重が大かつ前面に前記フェース部材ｂを取り付けしうるヘッド本体部ｃとを接合して構成されるのが一般的である。
【０００３】
ところで、前記フェース部材ｂやヘッド本体部ｃは、主に鋳造によって成形される。このため寸法がバラツキやすい。とりわけ、フェース部材ｂとヘッド本体部ｃとの接合部分に寸法のバラツキが生じていると、両部材の接合強度が低下しやすい。例えば、図１５（Ｂ）に拡大して示すように、フェース部材ｂとヘッド本体部ｃとをカシメ（塑性変形）によって接合した場合、フェース部材ｂの外周面ｂ１と、ヘッド本体部ｃの凹部内周面ｃ１との接合部に隙間ｅ１が生じていると、十分な摩擦力が得られず、接合強度が低下して繰り返しボールを打球することにより、フェース部材ｂがずれたり、或いはヘッド本体部ｃから外れるおそれがある。またヘッド本体部ｃの支持壁面ｃ２の平面度が十分でないと、隙間ｅ２が生じ打球時にフェース部材ｂが外れ易くなる。
【０００４】
またフェース部材ｂとヘッド本体部ｃとを接着剤、或いは溶接などにより接合する場合においても、突き合わせ部の寸法のバラツキが生じていると、固着時の位置決めが一定せず、ひいてはロフト角やフック角にばらつきが生じ寸法精度の低下が生じる。
【０００５】
本発明は、このような問題点に鑑み案出なされたもので、ヘッド本体部側のフェース取付部、このフェース取付部と接合されるフェース部材の被取付部の接合部分を、機械仕上げ加工が施された加工面とすることを基本として、寸法のバラツキを減じて接合部の精度を高め、接合強度や寸法精度を向上させるのに役立つアイアン型ゴルフクラブヘッド（以下単にゴルフクラブヘッドということがある）を提供することを目的としている。
【０００６】
【課題を解決するための手段】
本発明のうち請求項１記載の発明は、ボールを打球するフェース面の少なくとも一部を含むフェース部材と、このフェース部材がカシメ接合されるフェース取付部を具えたヘッド本体部とからなるアイアン型ゴルフクラブヘッドであって、
前記フェース取付部（４）は、前記フェース部材（２）の被取付部（２Ａ）の外周面（２ａ）に接合される内周面部（４Ａ）と、この内周面部（４Ａ）からヘッド中心側へ小高さで折れ曲がり、かつフェース部材（２）の背面（２ｂ）と環状で接合される支持壁部（４Ｂ）とを含み、
かつ該フェース取付部（４）の内周面部（４Ａ）と支持壁部（４Ｂ）、及び前記フェース部材（２）の前記被取付部（２Ａ）の外周面（２ａ）と、前記背面（２ｂ）の前記接合される部分を含む周縁部（２ｂｅ）とは、ともに機械仕上げ加工を施すとともに、
該フェース部材（２）の背面（２ｂ）の全面を前記周縁部（２ｂｅ）を含んで機械仕上げを施し、
かつ前記フェース部材（２）は、その外周面（２ａ）が、バックフェース側の基面（２ａ１）と、そのフェース面Ｆ側のコーナ部を連続して切り欠くことにより形成された環状の凹面部（２ａ２）と、前記基面（２ａ１）と凹部面（２ａ２）とを継ぐ継ぎ面（２ａ３）とを有し、
しかもフェース取付部（４）の内周面部（４Ａ）は、前記機械仕上げ加工が施された加工面Ｐからなる仕上げ内周面部（４Ａ１）と、この仕上げ内周面部（４Ａ１）よりもフェース面側に設けられかつ塑性変形によってヘッド中心側にはみ出して前記フェース部材（２）の前記凹面部（２ａ２）を覆うことによりフェース部材２を抜け止めするカシメ部（４Ａ２）とで構成されることを特徴とする。
【０００７】
さらに請求項１に係る発明は、フェース部材２の厚さｔ方向に沿う前記カシメ部（４Ａ２）の厚さｔ１は、０．３〜２．０mm、
かつカシメ部（４Ａ２）の仕上げ内周面部（４Ａ１）からのはみ出し量であるかしめ幅Ｗ１は、０．３〜２．０mmとしたことを特徴とする。
【０００８】
また請求項２記載の発明は、前記ヘッド本体部は、鋳造品からなることを特徴とする。
【０００９】
また請求項３記載の発明は、前記加工面は、ＮＣ工作機械又はＮＣ研削機により加工されたことを特徴としている。
【００１０】
【発明の実施の形態】
以下本発明の実施の一形態を図面に基づき説明する。
図１は本発明の実施形態に係るアイアン型のゴルフクラブヘッドのフェース面側から見た正面図、図２は図１のＡ−Ａ拡大端面図、図３はヘッドの組立前の状態を示す分解斜視図をそれぞれ示している。図において、本実施形態のゴルフクラブヘッド（以下、単に「ヘッド」ということがある。）１は、ボールを打撃するフェース面Ｆを有するフェース部材２と、該フェース部材２を前面に配するフェース取付部４を設けたヘッド本体部３とから構成されている。
【００１１】
前記フェース部材２は、本実施形態ではフェース面Ｆの主要部をなす板状で構成されている。フェース部材２の厚さｔは、耐久性と反発性とをバランス良く高めるべく、例えば１．５〜４．５mm、好ましくは２．０〜４．０mm、さらに好ましくは２．０〜３．５mmとすることが望ましい。またフェース部材２のフェース面Ｆ側の表面には、ボールとの摩擦力を高めるフェースライン溝ＳＣが凹設されている。該フェース部材２は、ヘッド本体部３よりも比重が小の金属材料（例えばチタン合金など）で形成されたものを例示し、これにより、ヘッド１の重量をフェース面Ｆの周囲により多く配分することが可能になり、スイートエリアの増大などに役立つ。なお、フェース部材２は、チタン合金以外にも例えば純チタン、マルエージング鋼、アルミニウム合金、アモルファス合金など種々の材料を用い得るのは言うまでもなく、本例ではこのフェース部材２が鋳造品から構成されているものを示す。
【００１２】
図２に示すように、本実施形態のフェース部材２は、その外周面２ａが、バックフェース側の基面２ａ１、及びフェース面Ｆ側のコーナ部を連続して切り欠くことにより形成された環状の凹面部２ａ２と、基面２ａ１と凹部面２ａ２とを継ぐフェース面Ｆと略平行な継ぎ面２ａ３とを有している。この凹面部２ａ２は、本例では基面２ａ１から段差状に切り欠いたものを示すが、例えば傾斜面などとすることもできる。また本実施形態のフェース部材２は、図４に示すように、フェース取付部４に接合される被取付部２Ａが、前記外周面２ａと、背面２ｂの周縁部２ｂｅとからなり、これらがいずれも機械仕上げ加工が施された加工面Ｐからなる。
【００１３】
本明細書において、「機械仕上げ加工」とは、工作機械を用いて被加工物の不要な部分を切りくず又は研磨粉として除去し、所定の寸法、形状に仕上げる加工を意味する。また「工作機械」としては、例えば旋盤又はフライス盤などを含み、手動式で操作するものでも良いが、加工面Ｐをより精度良く仕上げる観点から切削工具を数値制御によって作動させるＮＣ工作機械が特に好ましく採用される。フェース部材２の前記外周面２ａは、例えばエンドミルの外側面による削りによって輪郭形状の寸法精度を高め、また背面２ｂの周縁部２ｂｅは、エンドミルないし正面フライスなどによる平面削りによって平面度を精度良く仕上げうる。
【００１４】
前記ヘッド本体部３は、本実施形態では例えばステンレス鋼（例えばＳＵＳ６３０）など比重が大の金属材料からなり、ヘッド上部をなすトップブレード部３ａと、ヘッド底部をなすソール部３ｂと、ヘッドの先端側でこれらの間を上下にのびて継ぐトウ部３ｃと、ヘッドのヒール側でトップブレード部３ａとソール部３ｂとを継ぐネック部３ｄと、このネック部３ｄから上方にのび図示しないシャフトが差し込まれるシャフト取付部３ｅとを例えばロストワックス精密鋳造法によって一体に形成した鋳造品からなるものを示す。このヘッド本体部３には、ステンレス鋼以外にも、例えばいわゆる軟鉄、チタン合金、アルミニウム合金なども用いることができる。また前記ソール部３ｂは、比較的大きな体積を有するとともにヘッド後方にのびることにより、ヘッド１の重心をより低くかつより深く設計するのに役立つ。
【００１５】
また本例のヘッド本体部３は、図３に示すように、本例ではトップブレード部３ａ、トウ部３ｃ、ソール部３ｂ及びネック部３ｄで囲まれかつ前後に貫通する開口部Ｏを具えている。この開口部Ｏの前の周縁部分には、前記フェース部材２が接合されるフェース取付部４が設けられている。
【００１６】
前記フェース取付部４は、図２に示すように、前記フェース部材２の外周面２ａと接合される内周面部４Ａと、この内周面部４Ａからヘッド中心側へ小高さで折れ曲がり本例ではフェース部材２の背面２ｂと環状で接合される支持壁部４Ｂとを含むものが例示されている。
【００１７】
フェース取付部４の内周面部４Ａは、前記機械仕上げ加工が施された加工面Ｐからなる仕上げ内周面部４Ａ１と、この仕上げ内周面部４Ａ１（加工面Ｐ）よりもフェース面側に設けられるカシメ部４Ａ２とで構成されたものを例示する。カシメ部４Ａ２は、塑性変形によって前記加工面Ｐよりヘッド中心側にはみ出して前記凹面部２ａ２を覆うことによりフェース部材２を抜け止めする。このようにヘッド１は、フェース部材２とヘッド本体部３とをカシメによって接合している。
【００１８】
図３、図４に示すように、固着前のヘッド本体部３には、前記内周面部４Ａをヘッド前方に突出させた凸部６が形成されている。該凸部６は、本例では前記フェース取付部４の周囲に連続して設けられている。凸部６は、断面台形状をなし、その外側面部６ａをヘッド前方に向かってヘッド中心側に傾くテーパ状面で形成している。そして、かしめる際には、図４に示すように、フェース部材２を前記フェース取付部４に配置し、プレス押型等によってフェース面Ｆ側から該フェース面Ｆに対して垂直に前記凸部６を押圧する。押圧力を受けた凸部６は、外側面部６の傾斜によってヘッド中心側に倒れ込みながら押し潰され、図２に示したようにフェース部材２の凹部２ｃを覆うように塑性変形する。これにより、ヘッド本体部３のフェース取付部４の内周面部４Ａには、フェース部材２を抜け止めする前記カシメ部４Ａ２が形成され、フェース部材２とヘッド本体部３とを接合しうる。
【００１９】
なおフェース部材２の厚さｔ方向に沿うカシメ部４Ａ２の厚さｔ１（図２に示す）は、０．３〜２．０mm、さらに好ましくは０．５〜１．０mmとするのが望ましい。該カシメ部４Ａ２の厚さｔ１が０．３mm未満であると、接合強度が低くなりやすくフェース部材２の外れなどが生じるおそれがあり、逆に２．０mmを超えると、かしめるのが困難な傾向がある。同様の観点より、カシメ部４Ａ２の仕上げ内周面部４Ａ１からのはみ出し量であるかしめ幅Ｗ１は、０．３〜２．０mmとする。好ましくは０．５〜１．０mmとするのが望ましい。なおカシメに際しては、接着剤を併用することもできる。
【００２０】
このようなヘッド１は、フェース部材２の外周面２ａと、フェース取付部４の内周面部４Ａとにおいて、互いに精度良く機械仕上げ加工が施された加工面Ｐ同士が向き合って当接する接合部分を含む。このため、この部分において、隙間やがたつきを減じることができ、両部材を精度良く位置合わせして嵌め合わせることが可能となる。例えば、フェース部材２の外周面２ａの輪郭形状と、前記内周面部４Ａ１の輪郭形状とを実質的に等しくするか、或いは仕上げ内周面部４Ａ１側を０．１〜０．５mm程度小さく加工することにより、この接合部分でより高い圧入効果を得ることもできる。これにより、前記カシメと相まって前記接合部の強度をさらに向上させ、またヘッド全体としての寸法精度をより向上させ得る。
【００２１】
このように、フェース部材２、フェース取付部４のそれぞれの鋳肌を機械仕上げ加工によって精度良く仕上げることにより、接合部の寸法のバラツキを減じ、接合精度を高めるのに役立つ。またフェース部材２、ヘッド本体部３は、機械仕上加工を施す部分について、予め削り代を見込んで例えば０．５〜２．０mm、より好ましくは０．５〜１．０mm程度厚さを増して鋳造することが望ましい。
【００２２】
図５には、機械仕上げ加工の一例を示す。
この例では、エンドミルＥを用いてフェース取付部４の機械仕上げ加工を行ったものを例示する。エンドミルＥの端面部Ｅａによりフェース取付部４の支持壁部４Ｂを加工するとともに、エンドミルＥの外側面部Ｅｂによりフェース取付部４の内周面部４Ａを仕上げ加工する。この際、支持壁部４Ｂ及び内周面部４Ａを同時に加工することが生産性を向上しうる観点より好ましい。エンドミルＥは、例えば数値制御により、治具に固定されたフェース取付部４を移動することでこのような仕上げ加工を連続して行うことができる。
【００２３】
ヘッド１は、フェース取付部４、及びこのフェース取付部４と接合されるフェース部材２の被取付部２Ａ（外周面２ａと背面２ｂの周縁部２ｂｅとからなる）の双方に加工面Ｐを設けている。またフェース部材２に機械仕上げ加工を施す際には、前記フェースライン溝ＳＣなどを同時に形成することが生産時間の短縮化を図る点で望ましい。
【００２４】
このように、フェース部材２とヘッド本体部３との接合部分が機械仕上げ加工が施された加工面Ｐを設けることにより、接合精度を向上でき、接合部に生じやすい隙間、ガタツキなどが生じるのを効果的に防止しうる。従って、特にフェース部材２とヘッド本体部３とをかしめるに際して、がたつきを防止し強固に接合するのに役立つ。
【００２５】
図６には、本発明の他の実施形態を示している。
この形態では、フェース部材２が、その中央部をなす厚さｔａが大の中央厚肉部７と、その周囲に環状で形成されかつ厚さｔｂが中央厚肉部７よりも小の周辺薄肉部９とから構成されている。またフェース部材２は、鋳造品からなり、本実施形態では、その外周面２ａの各面２ａ１、２ａ２、２ａ３をそれぞれ機械仕上げ加工を施した加工面Ｐとするとともに、フェース部材２の背面２ｆを機械仕上げ加工することにより加工面Ｐとしている。
【００２６】
このように、周辺薄肉部９を機械仕上げ加工によって形成するため、接合部のみならずフェース部材２の厚さの管理もより正確に行え、限界の薄い厚さまで精度良く加工することができる。従って、耐久性を維持しつつ反発性に優れたヘッド１を能率良く製造することができる。とりわけ、フェース面Ｆ又は背面２ｂの加工面Ｐの面積を１００％とすることにより、フェース部材２の寸法精度はもとより、厚さの管理を広範囲でかつ正確に行うことができる。また前記周辺薄肉部の厚さｔｂは、例えば１．５〜３．５mm、より好ましくは１．５〜２．５mm程度の小厚さとするのが良い。
【００２７】
図７〜図１４には、ウッド型のゴルフクラブヘッド１の一形態を単に開示している。該ヘッド１は、金属製のフェース部材２とヘッド本体部３とからなる２ピース構造をなす。前記フェース部材２は、本例では、前記フェース面Ｆを形成する基部１０と、前記フェース面Ｆの周縁ＦＥから例えば７〜３０mm程度の小長さＤでヘッド後方にのびる延長部１２とを一体に具えて構成される。前記基部１０は、本例では前記フェース面Ｆの実質的に全域を形成している。また延長部１２は、本例ではクラウン部側の延長部だけが図示されているが、基部１０の回りに環状で連続している。本実施形態では、この延長部１２の端面１２ｅと、ヘッド本体部３のフェース取付部となる開口端面１３とをともに加工面Ｐとしたものを示す。なお図には符号１２ｅ’にて機械加工前の端面の輪郭を示している。
【００２８】
フェース部材２とヘッド本体部３とは、例えば図示しない治具等を用いることにより、延長部１２の端面１２ｅと、ヘッド本体部３の開口端面１３とを隙間を介して仮保持される。この際、向き合う延長部１２の端面１２ｅとヘッド本体部３の開口端面１３とがいずれも精度良く機械加工された加工面Ｐからなるため、前記隙間をほぼ一定に保つことができる。このような隙間の均一化は、図８及び図９に示すように、溶加材を用いる場合、該隙間への溶接金属Ｂの充填が過不足なく均一に行え、また溶加材を用いない場合でも両部材の溶け込みが均一化し、ひいては溶接強度を高めるのに役立つ。なお開先の形状は種々変更しうるのは言うまでもない。
【００２９】
図１０には、ウッド型のゴルフクラブヘッド１のさらに他の単なる形態を示している。本実施形態では、フェース部材２が、板状をなしかつその外周面２ａを背面２Ｂからフェース面Ｆに向かって広がるテーパ状の加工面Ｐとしたものを例示している。またヘッド本体部３のフェース取付部４は、前記フェース部材２を溶接に先立ち図示しない治具等を用いて仮組みしたときに、図１０（Ｂ）に拡大して示す如く、前記テーパ状の加工面Ｐと間でヘッド外方に向かって幅を大とするＶ字状の開先１４を形成する加工面Ｐとしている。
【００３０】
図１０（Ｂ）、（Ｃ）は、図１０（Ａ）のＸ部拡大図を示しており、前記開先１４の開先角度θは、小さすぎると、溶接金属の充填量が不足したり、或いは突き合わされた両部材の溶け込み量が不足し、溶接強度が低下し易くなる。逆に、前記開先角度θが大きすぎても、このような開先を形成するために機械加工による加工量が増え、切削不良などを生じやすくなる。このような観点より、特に限定されるわけではないが、前記開先角度θは、例えば３０〜１２０゜、より好ましくは３０〜１００゜、さらに好ましくは４５〜９０゜とすることが望ましい。
【００３１】
また図１０（Ｃ）に示すように、開先角度θを上記角度に設定するに際して、フェース部材２のテーパー角度θａ、ヘッド本体部のフェース取付部４のテーパー角度θｂは、いずれも１５〜６０゜の範囲内で設定することが望ましい。これは、いずれか一方の端面の角度θａ又はθｂを過度に大きく設定した場合、端面を精度良く研削するのが困難となり、削り量の過多による不良発生率が高くる傾向がある。なお前記テーパー角度θａ、θｂは、厚さ方向に沿う基準端面Ｎに対するテーパー面の角度とする。
【００３２】
図１１〜図１４には、ウッド型のゴルフクラブヘッド１のさらに他の形態を示している。この実施形態では、フェース部材２を背面２ｂから見た図１１、及び図１１のＣ−Ｃ断面である図１２に示すように、フェース部材２は、板状をなしかつその背面２ｂの本例では周縁部２ｂｅに前記加工面Ｐが形成されている。該加工面Ｐは、本例では巾ＫＷかつ深さＡＷで前記背面２ｂを連続して研削することによって環状に形成されている。
【００３３】
また図１３、及びそのＤ−Ｄ端面図である図１４（図１４はフェース部材２を仮組みしている）に示すように、ヘッド本体部３は、前面に開口部Ｏを有する。また、ヘッド本体部３は、この開口部Ｏを囲む内周面部４Ａと、この内周面部４Ａよりもヘッド中心側へのびフェース部材２の背面２ｂを支持する支持壁部４Ｂとを含む。そして、本実施形態では、前記支持壁部４Ｂのフェース部材２と接する側の面を加工面Ｐとしている。本例の支持壁部４Ｂは、正面視が略三角形状の小片の複数個を隔設したものを示すが、前記開口部Ｏに沿って連続するものでも良い。
【００３４】
図１４は、前記ヘッド本体部３にフェース部材２を仮組みした状態を示した図１３のＤ−Ｄ端面を示している。本実施形態では、フェース部材２の外周面２Ａとヘッド本体部３の内周面部４Ａとの間に環状で連続する開先１７が形成される。この開先には、例えば溶加材などの溶接金属Ｂが盛られ、フェース部材２とヘッド本体部３とが溶接される。この際、フェース部材２とヘッド本体部３とが加工面Ｐ、Ｐ同士を向き合わせて接触させているため、位置決め精度が高く、フェース面Ｆのロフト角、フック角などを精度良く製造するのに役立つ。
【００３５】
また本実施形態では、フェース部材２の加工面Ｐをなす背面の周縁部２ｂｅはその巾ＫＷを調節することにより、前記支持壁部４Ｂとは接触しない非接触部Ｇを含み、この非接触部Ｇは、環状で連続して形成される。このような非接触部Ｇは、フェース部材の中央部に比して厚さが小となるため、フェース部の周辺領域での剛性を低下させることができ、ヘッドの反発性を高め得る。またフェース部材２の周縁部２Ｂｅは、機械加工によって仕上げられているため、その厚さや巾を精度良く加工でき、耐久性などを厳密に管理することができる。
【００３６】
【実施例】
（アイアン型のゴルフクラブヘッドの実施例）
チタン合金（Ｔｉ−６Ａｌ−４Ｖ）にてフェース部材を、ＳＵＳ６３０にてヘッド本体部をそれぞれ精密鋳造により成形し、表１の仕様にてアイアン型のヘッドを製造し、接合強度を評価するために打撃テストを行った。
【００３７】
打撃テストは、各供試ヘッドに同一のシャフトを装着しアイアン型ゴルフクラブを試作するとともに、該クラブをスイングロボットに取り付け、ヘッドスピードが４５ｍ／ｓとなるように調節して２ピースゴルフボールを各クラブ毎に３０００球づつ打撃しフェース部状態を目視により観察した。
テストの結果などを表１に示す。
【００３８】
【表１】
0003822533.tif 000002
【００３９】
（ウッド型のゴルフクラブヘッドの単なる例示）
チタン合金（Ｔｉ−６Ａｌ−４Ｖ）を用いて表２の仕様に基づきフェース部材とヘッド本体部とを製造し、これらを溶接してリアルロフト角１０゜の目標値で同一形状のヘッドをそれぞれ１００個製造した。そして、各ヘッドのリアルロフト角を測定するとともに、接合強度を評価するために打撃テストを行った。
【００４０】
打撃テストは、各供試ヘッドに同一のシャフトを装着しウッド型ゴルフクラブをそれぞれ１０本試作するとともに、該クラブをスイングロボットに取り付け、ヘッドスピードが５０ｍ／ｓとなるように調節して２ピースゴルフボールを各クラブ毎に３０００球づつ打撃し接合部に損傷が生じていないフクラブの本数（テストの合格した本数）を測定した。テストの結果などを表２に示すが、本発明のものは、ロフト角のバラツキが小さくかつ耐久性も優れていることが判る。なお、表２においてはウッド型ゴルフクラブの場合も実施例として記載している。
【００４１】
【表２】
0003822533.tif 000003
【００４２】
【発明の効果】
以上説明したように、請求項１記載の発明では、フェース部材と、このフェース部材が接合されるフェース取付部を具えたヘッド本体部とからなるゴルフクラブヘッドにおいて、フェース取付部、又はこのフェース取付部と接合される前記フェース部材の被取付部の双方が、機械仕上げ加工を施した加工面であり、両部材が接合される接合部の寸法精度を高めることにより、接合精度を向上し、ひいては接合強度を高めるのに役立つ。
【００４３】
また、フェース取付部は、板状のフェース部材の外周面と接合される内周面部と、この内周面部からヘッド中心側へのびフェース部材の背面と接合される支持壁部とを含み、かつ前記内周面部及び支持壁部に前記加工面を設けているので、より高い精度でフェース部材を接合することができる。さらに、フェース部材の外周面部と背面とにも前記加工面を設けているので、より一層接合精度を向上し接合強度を高めるのに役立つ。とりわけ、請求項３記載の発明のように、ＮＣ工作機械又はＮＣ研削機により加工された加工面により、さらに精度を向上できる。
【００４４】
またフェース取付部の前記内周面部は、前記加工面と、この加工面の前方に設けられかつ塑性変形によって前記加工面よりもヘッド中心側にはみ出すことにより前記フェース部材を抜け止めするカシメ部とを具えるため、加工面とフェース部材の外周面との間の隙間などを減じることが可能となりカシメ接合部の接合強度を向上させる。
【００４５】
また請求項２記載の発明のように、ヘッド本体部が鋳造品からなるときには、寸法精度が低くバラツキが生じやすいが、フェース取付部に機械仕上げ加工された加工面を設けることにより、必要箇所の寸法精度を向上できる。
【図面の簡単な説明】
【図１】  本発明の一実施形態を示すヘッドの正面図である。
【図２】  そのＡ−Ａ部端面図である。
【図３】  ヘッドの組立前の分解斜視図である。
【図４】  ヘッドの組立前の断面図である。
【図５】  ヘッド本体部の機械仕上げ加工を説明する断面図である。
【図６】  本発明の他の実施形態を示す断面図である。
【図７】  ウッド型の形態を示すフェース部材とヘッド本体部との平面図である。
【図８】  その溶接後を示す平面図である。
【図９】  図８のＢ−Ｂ断面図である。
【図１０】  （Ａ）はウッド型の他の形態を単に示す断面図、（Ｂ）、（Ｃ）はそのＸ部の拡大図である。
【図１１】  ウッド型の形態を示すフェース部材を背面から見た図である。
【図１２】  そのＣ−Ｃ断面図である。
【図１３】  ヘッド本体部の正面図である。
【図１４】  フェース部材とヘッド本体部とを仮組みした図１３のＤ−Ｄ断面に相当する位置での断面図である。
【図１５】  （Ａ）は従来のヘッドの断面図、（Ｂ）はその部分拡大図である。
【符号の説明】
１  ゴルフクラブヘッド
２  フェース部材
２ａ  フェース部材の外周面
２ｂ  フェース部材の背面
２ｃ  凹部
３  ヘッド本体部
４  フェース取付部
４Ａ  フェース取付部の内周面部
４Ａ１  仕上げ加工面部
４Ａ２  カシメ部
４Ｂ  支持壁部
Ｐ１  加工面
【図１】
0003822533.tif 000004
【図２】
0003822533.tif 000005
【図３】
0003822533.tif 000006
【図４】
0003822533.tif 000007
【図５】
0003822533.tif 000008
【図６】
0003822533.tif 000009
【図７】
0003822533.tif 000010
【図８】
0003822533.tif 000011
【図９】
0003822533.tif 000012
【図１０】
0003822533.tif 000013
【図１１】
0003822533.tif 000014
【図１２】
0003822533.tif 000015
【図１３】
0003822533.tif 000016
【図１４】
0003822533.tif 000017
【図１５】
0003822533.tif 000018